(57)【特許請求の範囲】
【請求項１】
アンテナと、ルータと、位置登録器とを有する屋外無線インターネット網、及びインターネット網へ接続することができる屋内ゲートウェイを有する屋内無線インターネット網を利用する、利用者のための最適のインターネット網接続及びローミングシステムにおいて、
屋内無線接続モジュールを内蔵し、屋内システムＩＤ情報が登録されており、前記登録された屋内システムＩＤ情報が受信されると前記屋内無線インターネット網へ接続し、登録された屋内システムＩＤ情報が受信されないと前記屋外無線インターネット網へ接続することにより、通信サービスの提供を受けるデータ通信端末と、
前記屋内無線接続モジュールを内蔵し、前記屋内システムＩＤ情報を送信し、前記屋内無線接続モジュールを介して前記データ通信端末と無線通信を遂行し、有線によりインターネット網と連結した屋内ゲートウェイと、
前記屋外無線インターネット網または前記屋内無線インターネット網を介して受信される前記データ通信端末の位置情報を格納する位置登録器と、
前記位置登録器に格納された前記データ通信端末の位置を判断し、利用者側へ提供される音声及びデータ信号を前記データ通信端末の位置に従って前記屋外無線インターネット網または前記屋内無線インターネット網の一つを選択してローミングさせるルータと
を含むことを特徴とする屋内／屋外に移動する利用者のための最適のインターネット網接続及びローミングシステム。
【請求項２】
前記データ通信端末は、受信される屋内システムＩＤ情報を格納されている登録された屋内システムＩＤ情報と比較し、受信された屋内システムＩＤ情報が登録された屋内システムＩＤ情報と同一であるか否かによって、屋内モードまたは屋外通信モードの一つを設定することを特徴とする請求項１記載の利用者のための最適のインターネット網接続及びローミングシステム。
【請求項３】
前記データ通信端末は、一つ以上の屋内システムＩＤ情報が登録されていることを特徴とする請求項１記載の利用者のための最適のインターネット網接続及びローミングシステム。
【請求項４】
前記データ通信端末は、登録された屋内システムＩＤ情報が受信されると、前記位置登録器にモバイルＩＰ基盤で位置登録し、屋内にあることを知らせ、登録された屋内システムＩＤ情報が受信されないと、前記位置登録器に位置領域情報を格納し、屋外にあることを知らせることを特徴とする請求項１記載の利用者のための最適のインターネット網接続及びローミングシステム。
【請求項５】
前記データ通信端末は、通話中において前記位置登録器に登録された位置を、屋内から屋外に位置変更を登録し、承認を受けると、前記屋内無線インターネット網から前記屋外無線インターネット網へ接続切替され、または屋外から屋内に位置変更登録し、承認を受けると、前記屋外無線インターネット網から前記屋内無線インターネット網へ接続が切り替えることを特徴とする請求項４記載の利用者のための最適のインターネット網接続及びローミングシステム。
【請求項６】
前記位置登録器は、ホームエージェントまたは訪問エージェントの一つであることを特徴とする請求項１記載の利用者のための最適のインターネット網接続及びローミングシステム。
【請求項７】
前記屋内ゲートウェイは、ホームゲートウェイまたはＩＡＤの一つであることを特徴とする請求項１記載の利用者のための最適のインターネット網接続及びローミングシステム。
【請求項８】
前記屋内無線接続モジュールは、ブルートゥースモジュールであることを特徴とする請求項１記載の最適のインターネット網接続及びローミングシステム。
【請求項９】
前記屋内無線接続モジュールは、無線ＬＡＮ接続モジュールであることを特徴とする請求項１記載の最適のインターネット網接続及びローミングシステム。
【請求項１０】
前記屋内ゲートウェイは、有線または無線ＬＡＮに連結したインターネット通信装備であることを特徴とする請求項９記載の最適のインターネット網接続及びローミングシステム。
【請求項１１】
前記屋内無線接続モジュールは、無線パケット通信接続モジュールであることを特徴とする請求項１記載の最適のインターネット網接続及びローミングシステム。
【請求項１２】
アンテナと、ルータと、位置登録器とを有する屋外無線インターネット網、及びインターネット網へ接続することができる屋内ゲートウェイを有する屋内無線インターネット網を利用する利用者のための最適のインターネット網接続及びローミング方法において、
屋外にて、登録された屋内システムＩＤを有するデータ通信端末を前記屋外無線インターネット網へ接続し、通信サービスの提供を受ける第１ステップと、
第１ステップ以後に、屋内システムＩＤ情報が前記データ通信端末に受信されると、受信された屋内システムＩＤが登録された屋内システムＩＤと一致するか否かを判断する第２ステップと、
前記二つのＩＤが一致すると、前記位置登録器に屋内の位置を登録し、承認を受ける第３ステップと、
前記屋外無線インターネット網から前記屋内ゲートウェイに接続切替し、前記屋内ゲートウェイと屋内無線接続モジュールを介して無線通信し、前記インターネット網へ接続する第４ステップと、
前記位置登録器に登録された位置情報に従ってインターネット網から提供されるデータが前記屋内ゲートウェイに伝達されると、この屋内ゲートウェイと屋内無線接続モジュールを介して前記データの提供を受ける第５ステップと、
前記第５ステップ以後に、前記屋内システムＩＤ情報が前記データ通信端末に受信されないと、前記位置登録器に屋外位置を登録し、承認を受ける第６ステップと、
前記屋内ゲートウェイから前記屋外無線インターネット網へ接続切替され、前記第１ステップを行う第７ステップと
を含むことを特徴とする利用者のデータ通信端末の最適のインターネット網接続及びローミング方法。
【請求項１３】
前記位置登録器に登録される屋内位置は、屋内システムＩＤを含んで更新されることを特徴とする請求項１２記載の利用者のデータ通信端末の最適のインターネット網接続及びローミング方法。
【請求項１４】
前記第２ステップは、前記データ通信端末に登録された多数の屋内システムＩＤ情報と受信された屋内システムＩＤ情報とを比較し、登録された多数の屋内システムＩＤ情報の中で受信した屋内システムＩＤ情報と一致するものがあるか否かを判断することを特徴とする請求項１２記載の利用者のデータ通信端末の最適のインターネット網接続及びローミング方法。
【請求項１５】
前記データ通信端末と前記屋内ゲートウェイには、前記屋内無線接続モジュールが内蔵されることを特徴とする請求項１４記載の利用者のデータ通信端末の最適のインターネット網接続及びローミング方法。
【請求項１６】
前記屋内無線接続モジュールは、ブルートゥースモジュールであることを特徴とする請求項１２記載の利用者のデータ通信端末の最適のインターネット網接続及びローミング方法。
【請求項１７】
前記屋内無線接続モジュールは、無線ＬＡＮ接続モジュールであることを特徴とする請求項１２記載の利用者のデータ通信端末の最適のインターネット網接続及びローミング方法。
【請求項１８】
前記屋内ゲートウェイは、有線または無線ＬＡＮに連結されたインターネット通信装備であることを特徴とする請求項１７記載の利用者のデータ通信端末の最適のインターネット網接続及びローミング方法。
【請求項１９】
前記屋内無線接続モジュールは、無線パケット通信接続モジュールであることを特徴とする請求項１２記載の利用者のデータ通信端末の最適のインターネット網接続及びローミング方法。
【請求項２０】
前記第２ステップは、通信サービスの提供を受ける最中に行われることを特徴とする請求項１２記載の利用者のデータ通信端末の最適のインターネット網接続及びローミング方法。
【請求項２１】
前記第２ステップは、通信サービスの提供が終わった状態において行われることを特徴とする請求項１２記載の利用者のデータ通信端末の最適のインターネット網接続及びローミング方法。
【発明の詳細な説明】
【０００１】
【発明の属する技術分野】
本発明は、無線移動通信に関し、特に無線データ通信端末が屋内にあれば屋内無線接続モジュールを介して有線インターネット網へ接続されるようにし、屋外にあれば無線インターネット網へ接続されるようにして使用者の位置に従って接続切替が行われるようにする最適のインターネット網接続及びローミングシステム及び方法に関する。
【０００２】
【従来の技術】
最近、インターネットは、現代人において必須の通信媒体として利用されており、インターネットを通じた情報の提供及び情報の確認は一般化され、その活用度が順次広くなっている。
【０００３】
インターネットを利用するためには、インターネットへ接続することができるチップまたは装置を内蔵した端末（コンピュータ、ＰＣＳ電話、セルラーフォン、ノートブック型ＰＣ、ＰＤＡ等）を必要とするが、端末によリインターネットへ接続する方法が異なる。例えば、コンピュータやノートブック型ＰＣの場合には有線ラインを介してインターネットへ接続し、ＰＣＳフォンやセルラーフォン、ＰＤＡは無線通信プロトコルに基づいてインターネットへ接続する。場合によっては、コンピュータやノートブック型ＰＣにＰＣＳフォンを連結させ無線通信によりインターネットへ接続させることができる。
【０００４】
無線通信によりインターネットへ接続する方法においても、基地局、基地局制御機、交換機などの外部移動通信網を利用してインターネットへ接続する方法と、無線ＬＡＮカードを利用して屋外無線ＬＡＮ（ｌｏｃａｌ  ａｒｅａ  ｎｅｔｗｏｒｋ）を介してインターネットへ接続する方法と、無線パケット網を介してインターネットへ接続する方法などがある。
【０００５】
この内、無線ＬＡＮは有線ＬＡＮの拡張または取り替えの概念で具現されるデータ通信であって、有線（１０/１００Ｂａｓｅ）を使用せず電波または赤外線を利用して空中でデータを伝送、受信する方式であり、到達距離、性能、保安性などを考慮してＩＳＭ帯域（９０２〜９２８ＭＨｚ，２．４〜２．４８ＧＨｚ，５．７２５〜５．８５ＧＨｚ）を利用するスペクトラム拡散方式の無線ＬＡＮが最も普遍化されている。
【０００６】
そして、無線パケットインターネット網は９００ＭＨｚ帯域と１．８〜２ＧＨｚ帯域を用いてパケット方式でインターネットサービスを提供している。
一般的に、有線ＬＡＮ利用者は、屋内でコンピュータやノートブック型ＰＣを利用して有線で連結したケーブルを介してＬＡＮサーバーに接続し、併せて外部インターネットへ接続する。そして、屋外無線ＬＡＮ網または無線パケットインターネット網の利用者は屋外/屋内でＰＤＡや無線インターネット接続モジュールが組み込まれたノートブック型ＰＣなどを利用してアンテナ、アクセスポイント、ルータ（またはハブやブリッジ）等で構成された網を利用してインターネットへ接続する。
【０００７】
ところで、利用者は有線ＬＡＮを利用する場合には、事業者と約定した金額を支払えばいいが、無線ＬＡＮを利用する場合には、インターネットへ接続した回数に比例して金額を支払う必要がある。さらに、無線ＬＡＮを通じたインターネットの利用料金が高いので、月単位に計算すれば有線ＬＡＮを利用する方が無線ＬＡＮを利用する方より経済的に有利である。
【０００８】
従って、無線ＬＡＮを利用する利用者は、有線ＬＡＮを利用する利用者よりもさらに大きい費用上の負担を感じるようになるという問題点がある。そして、有線ＬＡＮよりも無線ＬＡＮまたはパケットモジュールを利用する場合、情報の品質が低下し、かつ情報速度が遅くなるという問題点がある。
【０００９】
【発明が解決しようとする課題】
本発明は、上記従来の問題点を解決するためのものであって、移動データ通信端末が屋内にあれば、屋内有線ＬＡＮを利用してインターネットへ接続するようにし、移動データ通信端末が屋外にあれば、無線ＬＡＮ網または無線パケット網の屋外無線インターネット網を利用してインターネットへ接続するようにする接続切替が行われるようにすることを目的とする。
【００１０】
また、本発明は、使用者が屋内外のいずれの場所でも低廉な費用で着信連結ができるとうにすることを目的とする。
また、本発明は、屋内網のトラフィック（ｔｒａｆｆｉｃ）が暴走したり、サービスが不可能な故障が生じた場合には、発着信時に他の屋外網を介してサービスを提供するようにすることを目的とする。
【００１１】
【課題を解決するための手段】
前記した技術的課題を達成するために、本発明い係るインターネット網接続及びローミングシステム及び方法は、利用者が屋外または屋内にあるかによってインターネットやＰＳＴＮ等に接続することができるネットワーク経路（即ち、通信網の接続）が変わるようにする。即ち、利用者が屋内にいれば利用者の無線インターネット端末を屋内有線ＬＡＮに接続させ、利用者が屋外にあれば利用者の無線インターネット端末を無線ＬＡＮ網または無線パケット網のような屋外無線インターネット網（無線によりインターネットへ接続することができる網）に接続させる。このような利用者の位置状態または位置移動によるネットワーク接続切替により、利用者は低廉な費用でより良い通話品質の保障を受けることができるようになる。この時、利用者が屋内または屋外にいるかによって最適のネットワーク経路に沿ってローミングサービスがなされる。
【００１２】
本発明は、利用者の無線インターネット端末を屋内有線ＬＡＮに接続することができるようにするために、有線ＬＡＮに連結された装置、即ち、屋内ゲートウェイ（インターネット通信装備を含む）に屋内無線接続モジュールを内蔵させ、また無線インターネット端末に屋内無線接続モジュールを内蔵させ屋内において二つの通信装置の間に無線通信が行われるようにする。
【００１３】
ここで、屋内無線接続モジュールは、近距離にある各通信機器の間にデータ、音声などの通信が可能なようにする装置として、普通、ＰＤＡ，ノートブック型ＰＣ、ＰＣＳフォン、セルラーフォンなどの無線インターネット端末と、デスクトップコンピュータ、スキャナー、ファックス、ＴＶ、プリンタなどのような屋内に位置する屋内家電、通信及びコンピュータ機器に組み込まれて無線インターネット端末と家電、通信及びコンピュータ機器間の無線通信が可能なようにする。
【００１４】
従って、屋内無線接続モジュールでは、ブルートゥースモジュール、無線ＬＡＮ接続モジュール、無線パケット通信接続モジュールなどであり得る。
本発明は、無線インターネット端末の利用者が屋内または屋外にいるかを確認するために、無線インターネット端末から伝送する位置情報を格納する位置登録器を有する。本発明は前記位置登録器に格納された位置情報に従ってローミングサービスのためのネットワーク経路を異にする。
【００１５】
無線インターネット端末は、現在位置が屋内であるか、それとも屋外であるかを判断するために、屋内ゲートウェイから送信する屋内システムＩＤ情報が受信されるか、特に、受信した屋内システムＩＤ情報が格納されている情報と同一であるかを判断する。
【００１６】
従って、前記の技術的課題を達成するための特徴による屋内／屋外に移動する利用者のための最適の移動通信網接続及びローミングシステムは、
屋内無線接続モジュールを内蔵し、屋内システムＩＤが登録されており、登録された屋内システムＩＤ情報が受信されると屋内接続モードを設定して前記屋内無線接続モジュールを駆動させ、登録された屋内システムＩＤ情報が受信されないと屋外通信モードを設定して屋外無線インターネット網へ接続するデータ通信端末と、前記の屋内無線接続モジュールを内蔵し、前記無線インターネット端末と無線通信を遂行し、前記の屋内システムＩＤ情報を送信し、インターネット網に有線で連結された屋内ゲートウェイと、前記データ通信端末から前記屋外無線インターネット網または屋内網へ伝送される前記データ通信端末の位置情報を格納する位置登録器と、前記位置登録器に格納された前記データ通信端末の位置を判断し、利用者側に提供される音声及びデータ信号を判断して前記データ通信端末の位置に従って屋外または屋内網の一つを選択してローミングさせる位置確認器（インターネット交換機）を含むことを特徴とする。
【００１７】
前記位置情報は、前記データ通信端末が屋外にあれば位置領域に対する情報であり、屋内にあれば屋内システムＩＤ情報である。
一方、前記の技術的課題を達成するための本発明の他の特徴による屋内／屋外に移動する利用者のための最適の移動通信網接続及びローミング方法は、アンテナと、ルータと、位置登録器とを有する屋外無線インターネット網、及びインターネット網へ接続することができる屋内ゲートウェイを有する屋内網を含む通信システムを利用する利用者のための最適のインターネット網接続及びローミング方法において、屋外にて登録された屋内システムＩＤを有するデータ通信端末を前記屋外無線インターネット網へ接続して通信サービスの提供を受ける第１ステップと、第１ステップの以後に、前記屋内システムＩＤ情報が前記データ通信端末に受信されると、受信された屋内システムＩＤが登録された屋内システムＩＤと一致したか否かを判断する第２ステップと、前記二つのＩＤが一致すれば、前記位置登録器に屋内位置を登録し、承認を受ける第３ステップと、前記屋外無線インターネット網から前記屋内ゲートウェイに接続切替され、前記屋内ゲートウェイと屋内無線接続モジュールによる通信によりインターネット網へ接続する第４ステップと、前記位置登録器に登録された位置情報に従ってインターネットから提供されるデータが前記屋内ゲートウェイに伝達されると、前記データ通信端末がこの屋内ゲートウェイと屋内無線接続モジュールとを介して無線通信し、前記データの提供を受ける第５ステップと、前記第５ステップの以後に、前記屋内システムＩＤ情報が前記データ通信端末に受信されないと、前記位置登録器に屋外位置を登録し、承認を受ける第６ステップと、前記屋内ゲートウェイで前記屋外無線インターネット網へ接続転換され、前記第１ステップを行う第７ステップを含むことを特徴とする。
【００１８】
前記位置登録器に登録される屋内位置は、屋内システムＩＤを含むことが好ましい。
【００１９】
【発明の実施の形態】
以下、本発明に係る実施の形態の屋内／屋外への位置移動時に屋内外の無線インターネット網への接続切替方法をの添付図面に基づいて説明する。
【００２０】
まず、本発明は、屋内では屋内無線接続モジュールと屋内ゲートウェイ（ホームゲートウェイ、ＩＡＤなどのように宅内、ビルディング及び建物内に位置したゲートウェイ、またはインターネット通信装備）を利用するようにし、屋外では一般的に使用している屋外無線インターネット網を利用するようにする。従って、本発明は利用者が屋外から屋内に位置移動すれば、通信網接続を一般の屋外無線インターネット網から屋内無線接続モジュールを介して通信が行われる屋内通信網へ接続が切り替わるようにする。
【００２１】
反対の場合に、利用者が屋内から屋外に位置を移動すれば、屋内無線接続モジュールを利用した屋内通信網から一般無線インターネット網へ接続が切り替わるようにする。
【００２２】
ここで、屋内無線接続モジュールであるブルートゥースモジュール、無線ＬＡＮ接続モジュール、無線パケット通信接続モジュールとホームゲートウェイとを説明する。
【００２３】
ブルートゥースは、既存の通信機器、家電及び事務機器等の種類と関係なしに多目的の接続を可能にする近距離無線通信機術である。このようなブルートゥースは、携帯電話機、ＰＣ，デジタルスチルカメラ、プリンタ、携帯型情報端末（ＰＤＡ）、ゲーム機などを連結しているデータ通信用有線ケーブルを無線化する目的で開発され、現在、スウェーデンＥｒｉｃｓｓｏｎ社、米国ＩＢＭ  Ｃｏｒｐ．，米国Ｉｎｔｅｌ  Ｃｏｒｐ．，フィンランドＮｏｋｉａ社、東芝等の５社が中心となって標準化作業を進行しており、エリックスン、ＣＳＲ社をはじめとするいろいろな会社でブルートゥースチップを生産している。
【００２４】
多種機器間の通信を支援するブルートゥースが作り出すネットワークを「ＷＰＡＮ（Ｗｉｒｅｌｅｓｓ  Ｐｅｒｓｏｎａｌ  Ａｒｅａ  Ｎｅｔｗｏｒｋ）」という。ＷＰＡＮが構築する環境下では、使用者が携帯している情報機器が近くにある他の情報機器とブルートゥース方式で無線接続される。これにより、従来に単独に機能した携帯型情報端末が周辺機器や外部ネットワークに接続されていた機器と提携して、使用者に便利な機能と、いままで実現することが難しかった高度な機能を実現することができるようにする。
【００２５】
このため、ブルートゥースは、全世界的に動作するための無免許帯域であるＩＳＭ（ｉｎｄｕｓｔｒｉａｌ  ｓｃｉｅｎｔｉｆｉｃ  ｍｅｄｉｃａｌ）の２．４ＧＨｚ帯域を用いる。そして、ブルートゥースチャンネルはＦＨ/ＴＤＤ（ｆｒｅｑｕｅｎｃｙ−ｈｏｐ/ｔｉｍｅ−ｄｉｖｉｓｉｏｎ−ｄｕｐｌｅｘ）方法を用い、チャンネルはスロットであると呼ばれる６２５ｍｓｅｃ区間に分けられ、各スロットに対して互いに異なるホップ周波数が使用され、ホップ比率は１，６００ｈｏｐｓ/ｓｅｃである。各スロットは、ＴＤＤモードで伝送されて送信と受信を交互に行う。
【００２６】
使用者が応用プログラムを介してブルートゥースを実際に用いるためには、ＲＦ（ｒａｄｉｏ  ｆｒｅｑｕｅｎｃｙ）とベースバンド信号処理ハードウェアを制御し、これを応用プログラムと連結させるソフトウェアを必要とするようになる。ブルートゥース仕様では、このような目的で用いられるソフトウェアプロトコルを階層化して記述しているが、これは既に公知されているのでこれ以上は省略する。
【００２７】
無線ＬＡＮ接続モジュールは、各近距離通信機器の間のデータ通信が無線ＬＡＮ方式に従うようにする装置であり、無線移動通信パケットは、無線ＬＡＮパケットとブルートゥースモジュールを除いた近距離の各通信機器の間、または通信機器と無線通信端末との間に無線通信が可能なようにする装置である。
【００２８】
無線パケット通信のパケットは両方向フェイザーモジュール、無線データモジュール、ＧＰＲＳ、ＥＤＧＥ、９５Ｃ１Ｘ、９５Ｃ１ＸＥＶＤＯ（ＨＤＲ）、９５Ｃ１ＸＥＶＤＯなどのような移動パケットデータモジュールを称し、無線パケット方式により端末と基地局（アクセスポイント）との間にてデータ情報の送受信が行われる。
【００２９】
そして、ホームゲートウェイ（以下‘ＨＧ’と称する）は有・無線のアクセス網（加入者網）と宅内（屋内）網を連結する家庭情報化の核心装置であって、屋内に設置された２台以上の端末を有無線通信網で連結するホームＰＮＡ（Ｐｈｏｎｅｌｉｎｅ  Ｎｅｗｏｒｋｉｎｇ  Ａｌｌｉａｎｃｅ）、ブルートゥースモジュールなどの屋内網装備とＡＤＳＬ（非対称デジタル加入者回線）、ＣＡＴＶ網などを用いる加入者網を相互接続及び仲裁する装備である。
【００３０】
これは超高速インターネットサービス、リアルタイムマルチメディアサービスを提供するだけでなく、屋内資源の共有、ネットワークを利用した娯楽、教育、診療、ホームショッピング等の各種付加サービス及び携帯情報端末を利用した遠隔自動制御、ホームセキュリティ機能などを提供する。
【００３１】
従って、本発明の屋内接続網は、屋内に移動した使用者の通信機器が屋内無線接続モジュールを介して屋内ゲートウェイと連結されるようにし、屋内ゲートウェイがインターネット網との接続を担当するようにする。
【００３２】
まず、図１及び図２を参照して本発明に適用される屋外無線インターネット網の構成を説明する。図１と図２は一般的な屋外無線インターネット網の構成に対する一例を示した図である。
【００３３】
図１は、アクセスポイントを介してインターネットへ接続する屋外無線ＬＡＮ網と、無線パケット網との構成を示したものであって、屋外無線ＬＡＮ網はデータ通信端末１０、アンテナ３１、３２、アクセスポイント２１、２２、多数のルータ４１、４２、…、４３、及び位置登録器８０を含む。一方、無線パケット通信は９５Ｃ１Ｘ、１ＸＥＶＤＯ、１ＸＥＶＤＶなどの無線パケット接続モジュールを利用してモバイルＩＰ基盤で無線インターネットサービスが提供される。この無線パケット通信網はアンテナ３３、ＢＴＳ（Ｂａｓｅ  Ｔｒａｎｓｃｅｉｖｅｒ  Ｓｔａｔｉｏｎ）９０、ＢＳＣ（Ｂａｓｅ  Ｓｔａｔｉｏｎ  Ｃｏｎｔｒｏｌｌｅｒ）９１、ルータ９２及び位置登録器８０で構成される。
【００３４】
図２は、無線ルータを介してインターネットへ接続する屋外無線ＬＡＮ網を示したものであって、屋外無線ＬＡＮ網は、データ通信端末１０、アンテナ３４、３５、加入者無線ルータ４４、エッジ無線ルータ４５、ルータ４６、位置登録器８０を含む。
【００３５】
図１と図２において、各ルータは互いに連結されており、インターネットに連結しており、インターネット５０はＶｏＩＰゲートウェイ６０を介してＰＳＴＮ７０と連結される。
【００３６】
データ通信端末１０は、利用者により携帯されるＰＤＡ、ノートブック型ＰＣ等へ電波を媒体としてデータを送受信できるようにする装置であって無線ＬＡＮカードが組み込まれている。
【００３７】
アンテナ３１、３２、３３は、アクセスポイント２１、２２またはＢＴＳ９０にそれぞれ装備され、端末とアクセスポイント２１、２２またはＢＴＳ９０間にデータを送受信することができるようにする。
【００３８】
アクセスポイント２１、２２は、通常、建物またはビルに設置されており、既存の有線ＬＡＮと無線ＬＡＮとを連結する時に使用する装備であって、有線ＬＡＮに連結されており、データの伝送及びバッファリング機能を提供する。一つのアクセスポイントは数十名〜数百名の使用者を支援し、数Ｋｍまでカバーする。
【００３９】
ルータは、ネットワークプロトコルが提供する情報に基づいてメッセージをインターネットに送る役割をする。より詳しくは、数百または数千台のコンピュータは、それぞれのデバイスに互いに約束されたアドレスを持って通信を行う。ネットワークが漸次大きくなれば、インターネットにより連結されているそれぞれのコンピュータが全てのアドレスを記憶することは不可能となる。従って、コンピュータが全てのアドレス情報を全部有しておらず、少ない情報だけでも通信が可能なように体系を立てなければならない必要がある。このような体系がインターネットを分割するものである。もちろん、これはネットワーク同士連結されている状態である。このように分割されたネットワークをサブネットワークと呼び、これらのサブネットワークを互いに連結させる特別なコンピュータをルータと呼ぶ。このような方法を用いることによって、各ネットワークコンピュータは全てのネットワークコンピュータのアドレス情報が全部分かる必要でなく、インターネット中で自分のネットワークだけを分かればいいものである。
【００４０】
無線ルータは、ルータの機能に無線パケットを追加したものである。従って、図１の屋外無線ＬＡＮはデータ通信端末１０から発生したインターネット接続要求信号（即ち、インターネットＩＰ住所）をアクセスポイント２１または２２を介して利用可能な有線ＬＡＮ網へ接続させた後、有線ＬＡＮ網へ連結されたルータ４１が他のルータ４２に接続要求信号を伝達し、ルータ４２が他のルータに接続要求信号を伝達する過程を連続して当該インターネットサーバーに連結されたルータ４３へインターネット接続要求信号が伝達されるようにする。このような多数のルータ４１、４２、…、４３によりインターネット接続経路が指定されて利用者はインターネット５０に接続することができるようになる。この時、端末１０の位置情報は位置登録器８０に登録される。
【００４１】
また、図１において利用者が無線パケット通信モジュールを利用する場合には、先ずモバイルＩＰプロトコル基盤で位置登録するために登録メッセージをＢＴＳ９０、ＢＳＣ９１、ルータ９２を経て位置登録器８０に伝達する。位置登録器８０では着信者の位置を把握して該当するルータに情報を伝達する。
【００４２】
一方、図２の屋外無線ＬＡＮは、データ通信端末１０から発生したインターネット接続要求信号（即ち、インターネットＩＰ住所）に該当するインターネットサーバーへの接続経路をエッジ無線ルータが指定する。即ち、端末１０に近接した加入者無線ルータ４４または４４’は遠隔地にあるエッジ無線ルータ４５にアンテナ３４、３５を介してインターネット接続要求信号を伝達し、エッジ無線ルータ４５はこれを再びルータ４６を介して他のルータに伝達する過程を連続し、インターネット接続要求信号に該当するインターネットサーバーに連結されたルータ４７にインターネット接続要求信号が伝達されるようにする。このような多数の無線ルータ、ルータによりインターネット接続経路が指定され、利用者はインターネット５０に接続することができるようになる。
【００４３】
ここで、図１と図２のように屋外無線ＬＡＮ網へ接続したり、屋外無線ＬＡＮ網を介してローミングサービスの提供を受けるためには移動ホスト、即ち、データ通信端末の現在位置を位置登録器に登録する必要がある。位置登録器はホームエージェント（ＨＡ：ｈｏｍｅ  ａｇｅｎｔ）または訪問エージェント（ＦＡ：ｆｏｒｅｉｇｎ  ａｇｅｎｔ）であり、この位置登録器に位置登録するためにはモバイルＩＰｖ４またはＩＰｖ６の住所体系を使用する。
【００４４】
モバイルＩＰは、移動エージェントである訪問エージェントとホームエージェント、そしてホームエージェントの周期的なホストの位置登録及び移動エージェント間またはホームエージェントと移動ホスト間のトンネルリングを利用してホストの移動性を支援する。移動ホスト（即ち、データ通信端末）はモバイルＩＰサービスの提供を受けるために固有のＩＰ住所を割り当てられなければならない。
【００４５】
動的住所割当のための方法では、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）を利用する方法がある。ＤＨＣＰは、任意のホストが網へ接続する初期駆動時に該当サブネットの環境情報をダウンロードして自分のネットワーク環境を設定することができるようにする技法である。
【００４６】
従って、データ通信端末は屋外無線ＬＡＮ網へ初期接続する時、モバイルＩＰ登録メッセージを利用して位置登録する。
前記図１と図２により説明した屋外無線ＬＡＮ網の利用経路は公知である。
【００４７】
以下、図３を参照して本発明の実施形態による屋内／屋外に移動する利用者のための最適のインターネット網接続及びローミングシステムを説明する。
図３は、本発明の実施形態による屋内／屋外に移動する利用者のための最適の無線インターネット網接続及びローミングシステムのブロック構成図である。図３に示すように、本発明のシステムは、図１において説明した通り、アクセスポイント２２とアンテナ３２とルータ４０とを有する屋外無線ＬＡＮ網またはＢＴＳ９０とＢＳＣ９１とルータ４０とを有する無線パケット網と、屋内ゲートウェイ１００を有する屋内網と、位置登録器８０と、多数のインターネットサーバーを有するインターネット５０と、ＶｏＩＰゲートウェイ６０とＰＳＴＮ７０とからなる外部網とを含んでいる。前記屋外無線ＬＡＮ網と無線パケット網とは、屋外無線インターネット網である。
【００４８】
前記において、データ通信端末１０はＰＤＡまたはノートブック型ＰＣなどであって、屋内無線接続モジュールＡと無線ＬＡＮカードＢ（または無線パケット接続モジュール）を組み込んでおり、一つ以上の屋内システムＩＤ情報を格納している。そして、屋内ゲートウェイ１００は屋内無線接続モジュールＣを内蔵しており、自分の固有システムＩＤ、即ち屋内システムＩＤ情報が割り当てられている。
【００４９】
従って、データ通信端末１０は屋外無線ＬＡＮ網への接続時、無線ＬＡＮカードＢまたは無線パケット接続モジュール（図示せず）を利用するようになり、屋内ゲートウェイ１００と無線通信を行う時には屋内無線接続モジュールＡを利用するようになる。
【００５０】
ここで、屋内無線接続モジュールＡ、Ｃはブルートゥースモジュールまたは無線ＬＡＮ接続モジュールまたは無線パケット接続モジュールの内の一つである。屋内ゲートウェイ１００としては、ＨＧと統合接続装備（ＩＡＤ：ｉｎｔｅｇｒａｔｅｄ  ａｃｃｅｓｓ  ｄｅｖｉｃｅ：以下‘ＩＡＤ’と称する）などがあるが、ＨＧは主に宅内に設置されて使用され、ＩＡＤはビル、建物内に設置されて使用される。
【００５１】
このような屋内ゲートウェイ１００は、データ通信端末１０と屋内無線接続モジュールＡ、Ｃに連結されてホームネットワークまたはＳＯＨＯ網とインターネットまたはＰＳＴＮに利用者が接続することができるようにし、屋内システムＩＤ情報を屋内無線接続モジュールＣを介して一定時間の間隔に送信し、屋内に位置した無線インターネット端末１０が屋内システムＩＤ情報を分かるようにする。
【００５２】
位置登録器８０は、モバイルＩＰプロトコルに基づいて動作して移動通信加入者の現在位置を記録するホームエージェント（ＨＡ）または訪問エージェント（ＦＡ）である。
【００５３】
位置登録器８０に格納される位置情報は、データ通信端末１０が屋外にあれば位置領域に対する情報であり、屋内にあれば屋内システムＩＤ情報である。
以下、図４を参照して図３に示された本発明のシステムを利用して無線インターネット電話通話中、屋外から屋内に利用者が移動する場合における位置移動時の無線インターネット網の接続切替方法を説明する。
【００５４】
図４は、本発明の実施形態による無線通話中に屋外から屋内に位置移動時の接続切替サービス提供のためのフローチャートであって、屋内無線接続モジュールをブルートゥースモジュールとした時に対する場合である。図４に適用されるデータ通信端末１０は無線データ通話が可能な全ての無線インターネット端末を利用することができるが、理解しやすくために、この中でＰＤＡを実施例として説明する。
【００５５】
屋外で利用者がＰＤＡ１０をパワーオン（ＯＮ）させれば、ＰＤＡ１０は初期化されて電源が印加される（Ｓ１０）。すると、ＰＤＡ１０は屋内システムＩＤ情報が受信されるか否かを確認するようになるが、登録された屋内網システム情報が受信されないと屋外通信モードを設定し、屋外無線ＬＡＮ網、インターネット、ＶｏＩＰゲートウェイ６０及びＰＳＴＮ７０を利用して遠隔地の着信者と通話をする。
【００５６】
即ち、ＰＤＡ１０は登録された屋内網システム情報が受信されないと、アンテナ３２、アクセスポイント２２、ルータ４１、４２、４０を通じた経路に従ってモバイルＩＰメッセージ基盤として位置登録器８０に認証を受けて位置を登録させる。
【００５７】
位置登録器８０に位置登録されれば、ＰＤＡ１０はインターネットへ接続し、通話を希望する着信者側の通信番号（即ち、着信側番号を含む発呼メッセージ）を発生させる。これにより、ＰＤＡ１０の発呼信号は屋外無線ＬＡＮ網を介してインターネット５０に接続した後、ＶｏＩＰゲートウェイ６０を介してＰＳＴＮ７０に接続して着信者の有線電話または無線インターネット端末に伝達される。そして、着信者側から伝送される音声データは位置登録器８０に登録された位置に従って屋外無線ＬＡＮ網を介して利用者のＰＤＡ１０に伝達され、利用者と着信者との間の通話が行われる（Ｓ１１）。
【００５８】
前記ステップ（Ｓ１１）以後に、利用者が音声通話中または音声通話を終えた状態において屋外から屋内に移動すれば、ＰＤＡ１０は屋内ゲートウェイ１００から送信される屋内システムＩＤ情報をブルートゥースモジュールＡを介して受信するようになる（Ｓ１２）。
【００５９】
ＰＤＡ１０は、受信した屋内システムＩＤと格納されている屋内網ＩＤとを比較し、それらが一致すれば利用者が屋内に移動したと判断し、屋内に移動した事実をモバイルＩＰメッセージを利用して屋外または屋内無線ＬＡＮ網を介して位置登録器８０に認証を受けた後に位置登録するようになる。
【００６０】
前記認証要求が成功裏に行われると、位置登録器８０は利用者の位置が屋外から屋内に変更されたことを確認するようになる。
ＰＤＡ１０は、位置登録の認証を受けると屋外移動通信モードから屋内接続モードである屋内ブルートゥースモードに切り替える（Ｓ１４）。
【００６１】
このように、ＰＤＡ１０がブルートゥースモードに切り替えると、ＰＤＡ１０は屋内ゲートウェイ１００とブルートゥースモジュールＡ、Ｃを介して無線通信を行うことができるようになる。
【００６２】
従って、ＰＤＡ１０は、ブルートゥースモードを設定すれば屋内システムＩＤ情報に基づいて屋内ゲートウェイ１００と接続し、ブルートゥースモジュールＡ、Ｃを介して屋内ゲートウェイ１００と無線通信する（Ｓ１５）。
【００６３】
屋内ゲートウェイ１００は、インターネット５０に有線で連結されているので、ＰＤＡ１０とインターネット５０とを連結させる。そして、インターネット５０はＰＤＡ１０の要請によってＰＤＡ１０から発生した音声データ信号をＶｏＩＰゲートウェイ６０に伝達し、ＶｏＩＰゲートウェイ６０は受信される音声データ信号をＰＳＴＮに適合なプロトコルに変換させてＰＳＴＮ７０に伝達する。次いで、ＰＳＴＮ７０はＶｏＩＰゲートウェイ６０から伝達された信号を該当着信者の端末に伝送する（Ｓ１６）。
【００６４】
一方、着信者の端末から送信される音声データまたは着信メッセージはＰＳＴＮ７０でＶｏＩＰゲートウェイ６０を介してインターネット接続規格に合うプロトコルに変換されてインターネット５０へ伝達されるが、インターネット５０へ伝達された前記着信メッセージまたは音声データは位置登録器８０により伝達経路が制御される。即ち、位置登録器８０に登録された利用者の位置が屋外から屋内に位置変更されたと判断すれば、位置登録器が接続されているルータ４０は屋外無線ＬＡＮ網を通じず、屋内ゲートウェイ１００に着信者の音声データまたは着信メッセージを伝達する。
【００６５】
これにより、屋内ゲートウェイ１００は、着信者の音声データをブルートゥースモジュールＣ，Ａを介して利用者のＰＤＡ１０に伝達して利用者と着信者との音声通話が持続的に行われるようにする（Ｓ１７）。
【００６６】
ここで、ＨＡ位置登録器は相手が着信メッセージを伝送する時、屋内網に異常があったり屋内網の通話量が急増した状態であると判断すれば（Ｓ１８）、他の屋外移動通信網を利用して通話が行われるようにする（Ｓ１９）。
【００６７】
前記のような方法を介して、本発明は利用者が屋外から屋内に移動しても通話が切れずに、通話を続けることができるようにし、特に屋内では屋内網を利用することによって、利用者が低廉な費用で着信者と通話を続けることができるようにする。
【００６８】
そして、本発明は、着信通話時に屋内網に異常があったり屋内網を利用することができない時、屋外移動通信網へ自動に切り替えるようにして利用者に通話便宜を提供する。
【００６９】
以下、図５を参照して無線インターネットデータ通信中、屋外から屋内に利用者が移動する場合に対する本発明の実施形態による屋内／屋外への位置移動時の無線インターネット網の接続切替方法を説明する。
【００７０】
図５は、本発明の実施形態による無線データ通信中、屋外から屋内に位置移動時の自動接続切替サービス提供のためのフローチャートである。
移動データ端末１０としてノートブック型ＰＣまたはＰＤＡを使用することができるが、以下ではＰＤＡ１０を利用する場合に対して説明する。
【００７１】
屋外で利用者がＰＤＡ１０をオンさせるとＰＤＡ１０は初期化され、電源が印加される（Ｓ２０）。
次に、ＰＤＡ１０はブルートゥースモジュールＡを介して屋内システムＩＤ情報が受信されるか否かを確認するようになるが、屋内システムＩＤ情報が受信されないと屋外データ通信モードを設定し、屋外無線ＬＡＮ網を利用してインターネットへ接続する（Ｓ２１）。
【００７２】
この時、ＰＤＡ１０は屋外無線ＬＡＮ網を利用して位置登録器８０から承認を受けて位置登録する。
次に、利用者がインターネットデータ通信を行う中に、またはインターネットデータ通信を終えた状態で屋外から屋内に移動すれば、ＰＤＡ１０は屋内ゲートウェイ１００から送信される屋内システムＩＤ情報を受信するようになる（Ｓ２２）。
【００７３】
これにより、ＰＤＡ１０は受信した屋内システムＩＤ情報と自体に登録されている屋内システムＩＤ情報を比較し、受信した屋内システムを利用する権限があるか否かを判断する。そして、ＰＤＡ１０は前記判断において、受信した屋内システムＩＤ情報が登録されたＩＤ情報であれば、屋外または屋内無線ＬＡＮ網を利用してモバイルＩＰメッセージに基づいて認証を受けた後に位置登録する。
【００７４】
位置登録器８０は、前記登録により利用者の位置が屋外から屋内に変更されたことを確認するようになる。
ＰＤＡ１０は、位置登録の認証を受けると、屋外データ通信モードからブルートゥースモードに切り替える（Ｓ２４）。
【００７５】
次いで、ＰＤＡ１０は屋内システムＩＤ情報を基に屋内網へ接続し、屋内ゲートウェイ１００とブルートゥースモジュールＡ、Ｃを介して無線通信を行う（Ｓ２５）。
【００７６】
これによって、ＰＤＡ１０から発送されるデータ情報は、ブルートゥースモジュールＡを介して屋内ゲートウェイ１００に伝達され、屋内ゲートウェイ１００はこれをインターネット網５０へ伝達する（Ｓ２６）。
【００７７】
そして、インターネットを介して提供する着信サービスは、位置登録器８０に登録された利用者の位置情報に従って屋外無線ＬＡＮ網を通じないで屋内ゲートウェイ１００に伝達する。次いで、屋内ゲートウェイ１００は、インターネット着信サービス情報をブルートゥースモジュールＣ、Ａを介してＰＤＡ１０に伝送して利用者がＰＤＡ１０を介してインターネットサービスを持続的に利用することができるようにする（Ｓ２７）。
【００７８】
ここで、ＨＡ/ＦＡ位置登録器８０は、屋内網に異常があったり屋内網での通話量が急増した状態であると判断すれば（Ｓ２８）、屋外無線ＬＡＮ網または他の屋外移動データ通信網を利用して利用者と発信者との間の通話がなされるようにする（Ｓ２９）。
【００７９】
前記のような方法により、利用者は、屋外から屋内に移動してもデータ通信が切れず、インターネットデータ通信を続けることができ、特に屋内では屋内網を利用することによって、低廉な費用でインターネットデータ通信を続けることができる。
【００８０】
前記のような方法により無線インターネットデータ通信を行う利用者が屋外から屋内に移動する時、本発明による通信接続は、屋外無線ＬＡＮ網を利用した無線インターネット通信から屋内網を利用した有線インターネット通信に自動に切り替わる。
【００８１】
ここで、本発明は、屋内網のデータ通信品質が屋外網のデータ通信品質よりも良いので、利用者が屋外網から屋内網に移動する時、無条件的に通信網接続を自動切り替えることができるが、このような方法は、屋内網システムのデータ通信品質がある理由によって屋外網よりも低下する場合に、利用者に大きい不都合をきたすという問題点を発生させる。
【００８２】
従って、本発明は、屋内網の品質が屋外網の品質よりも悪いか否かをチェックし、屋内網の通話品質が屋外網のデータ通信品質よりも少なくとも良い場合のみに通信網接続を切り替える。このため、本発明はＩＰデータグラム損失率、ＩＰデータグラムエラー率、再転送タイマ可動特性、平均遅延及び変位などを利用して屋内網のデータ通信品質を推定し、屋外網との通話品質の比較を行う。
【００８３】
以下、図６と図７を参照として無線インターネット通信中、利用者が屋内から屋外に移動する場合に対する本発明の実施形態による屋外への位置移動時の無線インターネット網への接続切替方法を説明する。
【００８４】
図６は、本発明の実施形態による移動通話中、屋内から屋外に位置移動時の接続切替サービス提供のためのフローチャートであって、屋内無線接続モジュールをブルートゥースモジュールとした時の場合である。
【００８５】
図６に示すように、屋内において利用者がＰＤＡ１０をオンすると、ＰＤＡ１０は初期化され電源が印加される（Ｓ３０）。
これにより、ＰＤＡ１０は、屋内ゲートウェイ１００から一定時間の間隔に送信される屋内システムＩＤ情報を、ブルートゥースモジュール（または無線ＬＡＮ接続モジュールまたは無線パケット通信接続モジュール）Ａを介して受信し、受信される屋内システムＩＤ情報が、格納（登録）されている屋内システムＩＤ情報と一致するか否かを判断するようになる（Ｓ３１）。
【００８６】
ＰＤＡ１０は、前記ステップ（Ｓ３１）により利用者が屋内にあると判断すれば、屋外または屋内無線ＬＡＮ網を介して位置登録器８０から認証を受けて位置登録する。
【００８７】
ここで、受信される屋内システムＩＤ情報がＰＤＡ１０に登録されている屋内システムＩＤ情報と一致しないと、ＰＤＡ１０は屋内網を利用することができず、屋外無線インターネット網を利用するようになる。
【００８８】
一方、ＰＤＡ１０は、前記ステップＳ３２により位置登録の認証を受けることになると、以後に着信される信号を屋内ゲートウェイ１００を介してブルートゥース通信方式で受信を受ける。
【００８９】
ＰＤＡ１０は、位置登録をすればブルートゥースモードを設定し、受信した屋内システムＩＤ情報を利用して屋内網、即ち、屋内ゲートウェイ１００に接続する（Ｓ３３）。
【００９０】
ＰＤＡ１０が屋内網へ接続するようになれば、屋内ゲートウェイ１００とブルートゥースモジュールとを介して無線連結され無線通信が可能となる（Ｓ３４）。
【００９１】
従って、ＰＤＡ１０から生じる音声データ信号または発呼メッセージはＰＤＡ１０のブルートゥースモジュールＡを介して屋内ゲートウェイ１００に伝達され、屋内ゲートウェイ１００はブルートゥースモジュールＣを介して音声データまたは発呼メッセージを受信した後、これをインターネット５０へ伝達する（Ｓ３５）。
【００９２】
次いで、インターネット５０は、屋内ゲートウェイ１００から受信される音声データまたは発呼メッセージをＶｏＩＰゲートウェイ６０を介してＰＳＴＮ７０に伝送し、利用者が着信者とインターネット通話ができるようにする（Ｓ３６，Ｓ３７）。
【００９３】
ここで、ＨＡ/ＦＡ位置登録器８０は、ＰＳＴＮ７０から着呼メッセージまたは音声データ伝送を要求する信号が受信されると、位置登録器８０に格納されている利用者の位置に従って屋内ゲートウェイ１００に着呼メッセージまたは音声データを伝送する。次いで、屋内ゲートウェイ１００は音声データを受信するようになり、これをブルートゥースモジュールＣ，Ａを介してＰＤＡ１０に無線伝送して発信者と着信者が通話ができるローミングサービスを可能にする。
【００９４】
次に、利用者が、屋内から屋外に移動すれば、ＰＤＡ１０は屋内ゲートウェイ１００から送信される屋内システムＩＤ情報を受信することができなくなる（Ｓ３８）。
【００９５】
ＰＤＡ１０は、屋内システムＩＤ情報を受信できなくなると、現在位置が屋外にあると判断するようになり、それによりモバイルＩＰ登録メッセージを屋外移動通信網へ伝送して位置登録器８０から現在位置の承認を受けて登録する（Ｓ３９）。
【００９６】
位置登録器８０に位置登録をすれば、ＰＤＡ１０は屋外通信モードにモードを切り替える（Ｓ４０）。
次いで、ＰＤＡ１０は、屋外無線ＬＡＮ網を利用して音声信号を着信者に伝えられるようにし、着信者から送信される音声信号を屋外無線ＬＡＮ網を介して受信し、着信者と利用者が持続的に通話することができるようにする（Ｓ４１）。
【００９７】
前記過程を経て屋内から屋外に移動した利用者は、通話が切れずに移動通話を続けるようになるが、再び屋外から屋内に進入するようになれば図４のような本発明の方法により屋内無線通信が可能になる。
【００９８】
以下、図７を参照して無線データ通信中に屋内から屋外に移動する場合における本発明の実施形態を説明する。図７は本発明の実施形態による無線データ通信中に、屋内から屋外に位置移動時の接続切替サービス提供のためのフローチャートであって、屋内無線接続モジュールＡ，Ｃをブルートゥースモジュールとした時の場合である。
【００９９】
図７に示すように、ＰＤＡ１０が初期化されて電源が供給されると（Ｓ６０）、ＰＤＡ１０は屋内システムＩＤ情報を受信するようになり（Ｓ６１）、それにより屋外無線ＬＡＮを利用して位置登録器８０から認証を受けて位置登録する（Ｓ６２）。
【０１００】
ＰＤＡ１０は、位置登録の認証を受ければブルートゥースモードを設定し（Ｓ６３）、ブルートゥースモジュールを介して屋内ゲートウェイ１００と連結される（Ｓ６４）。
【０１０１】
以後に、利用者がデータ通信をするようになれば、ＰＤＡ１０から伝送されるデータは、屋内ゲートウェイ１００を介してインターネット５０に接続され、インターネットから提供されるサービスは、屋内ゲートウェイ１００で受信を受けてブルートゥースモジュールＣ，Ａを介してＰＤＡ１０に伝達される（Ｓ６５、Ｓ６６）。
【０１０２】
従って、利用者は、インターネットから提供される情報を利用することができるようになる。
次に、利用者が、インターネット５０から情報の提供を受ける最中、または、そうでない状態において屋内から屋外に移動すれば、ＰＤＡ１０は屋内システムＩＤ情報を受信することができなくなり、それにより現在の位置を屋外無線インターネット網を介して位置登録器８０から承認を受けて登録する（Ｓ６７、Ｓ６８、Ｓ６９）。
【０１０３】
次いで、ＰＤＡ１０は、ブルートゥースモードを屋外通信モードに切り替えて設定し、屋外無線ＬＡＮを利用してインターネット５０へ接続した後、インターネットデータサービスの提供を受ける（Ｓ７０、Ｓ７１）。
【０１０４】
前記のように、屋内とは、建物内、ビル内または宅内などのある建物の内を意味することができ、特に、データ通信端末１０に登録された屋内システムＩＤと同一の屋内システムＩＤ情報を受信することができる半径以内を意味することができる。即ち、データ通信端末１０により屋内システムＩＤ情報を受信することができない地域を屋外といい、屋内システムＩＤ情報を受信することができる地域を屋内ということができる。
【０１０５】
また、図４〜図７によると、屋内無線接続モジュールＡ，Ｃをブルートゥースモジュールとした時について説明したが、無線ＬＡＮ接続モジュールや無線パケット通信接続モジュールを屋内無線接続モジュールとして使用した場合に対しても当業者ならば容易に実施することができる。
【０１０６】
以上のように、本発明に対する技術思想を添付図面と共に説明したが、これは本発明の好適な実施形態を例示的に説明したものであり、本発明を限定する目的で記述したことではない。また、この技術分野の通常の知識を有する者ならば誰でも本発明の技術思想の範疇を逸脱しない範囲内で多様な変形が可能であることは明白な事実である。
【０１０７】
【発明の効果】
以上説明したように、本発明によると、利用者が屋外から屋内に、または、屋内から屋外に位置変更する時、利用者の位置に従って最適の通信網へ接続切替が行われるようにし、インターネット音声品質の向上、データ処理速度の改善及び利用料金の低減ができる効果を有する。
【０１０８】
また、本発明は、屋内網においてトラフィック量が急増したり異常が生じた場合に対し、屋内網に着信される通信経路を自動に屋外無線インターネット網へローミングされるようにして利用者が安心して通話することができるようにする効果を有する。
【図面の簡単な説明】
【図１】本発明の屋外無線インターネット網の構成における一例を示す図である。
【図２】本発明の屋外無線インターネット網の構成における一例を示す図である。
【図３】本発明の実施形態における屋内／屋外に移動する利用者のための最適の無線インターネット網接続及びローミングシステムを示した構成図である。
【図４】本発明の実施形態における無線インターネット通話中に屋外から屋内に位置移動時の接続切替サービス提供のための動作の流れを示すフローチャートである。
【図５】本発明の実施形態における無線データ通信中に屋外から屋内に位置移動時の接続切替サービス提供のための動作の流れを示すフローチャートである。
【図６】本発明の実施形態における無線インターネット通話中に屋内から屋外に位置移動時の接続切替サービス提供のための動作の流れを示すフローチャートである。
【図７】本発明の実施形態における無線データ通信中に屋内から屋外に位置移動時の接続切替サービス提供のための動作の流れを示すフローチャートである。
【符号の説明】
１０    データ通信端末
２１、２２    アクセスポイント
３１、３２    アンテナ
４０、４１、４２    ルータ
５０    インターネット
６０    ＶｏＩＰゲートウェイ
７０    ＰＳＴＮ
８０    位置登録器
９０    ＢＴＳ
９１    ＢＳＣ
１００  屋内ゲートウェイ
【図１】
0004037646.tif 000002
【図２】
0004037646.tif 000003
【図３】
0004037646.tif 000004
【図４】
0004037646.tif 000005
【図５】
0004037646.tif 000006
【図６】
0004037646.tif 000007
【図７】
0004037646.tif 000008